(57)【要約】      （修正有）【課題】特定の不織布製品を継続的に購入しようという動機付けを利用者に対して効果的に行う情報処理装置、情報処理方法及び情報処理プログラムを提供する。【解決手段】端末装置と、情報処理装置が、ネットワークを介して有線又は無線により通信可能に接続される情報処理システムにおいて、情報処理装置１００は、利用者が幼児の保育に用いる不織布製品の購入状況を示す購入情報を取得する取得部１３３と、購入情報が示す購入状況が所定の条件を満たすか否かを定期的に判定する判定部１３４と、購入状況が所定の条件を満たすと判定される間、幼児が生誕してから経過した経過期間に応じたイベント向けの景品を、利用者に対して提供される景品として定期的に決定する決定部１３５と、を有する。【選択図】図４
2022002000.tif 000002
【特許請求の範囲】
【請求項１】
利用者が幼児の保育に用いる不織布製品の購入状況を示す購入情報を取得する取得部と、
前記購入情報が示す購入状況が所定の条件を満たすか否かを定期的に判定する判定部と、
前記購入状況が所定の条件を満たすと判定される間、前記幼児が生誕してから経過した経過期間に応じたイベント向けの景品を、前記利用者に対して提供される景品として定期的に決定する決定部と
を有することを特徴とする情報処理装置。
【請求項２】
前記取得部は、前記不織布製品の購入状況に応じて付与されたポイントのうち、前記利用者が蓄積しているポイントである蓄積ポイントを示す購入情報を取得し、
前記判定部は、前記蓄積ポイントがポイントの閾値条件を満たすか否かを定期的に判定し、
前記決定部は、前記蓄積ポイントが前記閾値条件を満たすと判定される間、前記幼児が生誕してからこれまでに経過した経過期間に応じたイベント向けの景品を、前記利用者に対して提供される景品として定期的に決定する
ことを特徴とする請求項１に記載の情報処理装置。
【請求項３】
前記決定部は、前記景品として、前記蓄積ポイントのうち、前記閾値条件に対応するポイントと引き換えとなる景品を決定する
ことを特徴とする請求項２に記載の情報処理装置。
【請求項４】
前記決定部は、前記利用者として１の利用者による保育対象となっている幼児が複数存在する場合には、保育対象となっている幼児ごとに、当該幼児が生誕してからこれまでに経過した経過期間に応じたイベント向けの景品を、当該１の利用者に対して提供される景品として決定する
ことを特徴とする請求項１〜３のいずれか１つに記載の情報処理装置。
【請求項５】
前記決定部は、前記保育対象となっている幼児の間で異なる景品を、前記１の利用者に対して提供される景品として決定する
ことを特徴とする請求項４に記載の情報処理装置。
【請求項６】
前記決定部は、前記条件を満たすと判定される間、前記条件を満たすと判定された各時点での前記幼児の月齢に基づいて、当該月齢に応じた生誕イベント向けの景品を前記景品として決定する
ことを特徴とする請求項１〜５のいずれか１つに記載の情報処理装置。
【請求項７】
前記決定部は、前記条件を満たすと判定される間、前記条件を満たすと判定された各時点に対応する季節に基づいて、前記利用者に対して提供される景品の候補のうち、前記利用者に景品が届くと推定される季節に応じた景品を前記利用者に対して提供される景品として決定する
ことを特徴とする請求項１〜６のいずれか１つに記載の情報処理装置。
【請求項８】
前記決定部は、前記幼児に関する情報に基づいて、前記利用者に対して提供される景品の候補のうち、前記幼児の性別に応じた景品を前記利用者に対して提供される景品として決定する
ことを特徴とする請求項１〜７のいずれか１つに記載の情報処理装置。
【請求項９】
前記景品が提供されるサービスに申し込んでいない利用者に対して、当該サービスへの申込を案内する案内情報を通知する通知部をさらに有する
ことを特徴とする請求項８に記載の情報処理装置。
【請求項１０】
前記取得部により取得された購入情報に基づいて、前記利用者に配信される配信対象の広告コンテンツを制御する広告制御部をさらに有する
ことを特徴とする請求項１〜９のいずれか１つに記載の情報処理装置。
【請求項１１】
前記取得部は、前記利用者に関する利用者情報と、前記利用者による保育対象となっている幼児に関する幼児情報とをさらに取得し、
前記広告制御部は、前記購入情報、前記利用者情報、および、前記幼児情報に基づいて、前記利用者に配信される配信対象の広告コンテンツを制御する
ことを特徴とする請求項１０に記載の情報処理装置。
【請求項１２】
前記決定部により決定された景品を用いた前記利用者によるアクションに応じて、前記利用者にポイントを付与する付与部をさらに有する
ことを特徴とする請求項１〜１１のいずれか１つに記載の情報処理装置。
【請求項１３】
前記付与部は、前記ポイントとして、前記景品が提供されるサービスで利用可能なポイントを付与する
ことを特徴とする請求項１２に記載の情報処理装置。
【請求項１４】
前記付与部は、前記景品と前記幼児とがともに撮影された撮影画像が所定の情報共有サービスで共有されるよう当該撮影画像を前記利用者が投稿した場合には、前記利用者にポイントを付与する
ことを特徴とする請求項１２または１３に記載の情報処理装置。
【請求項１５】
前記付与部は、前記撮影画像に撮影された景品が、当該撮影画像を投稿した利用者に提供された実績のある景品であると判定された場合には、当該利用者にポイントを付与する
ことを特徴とする請求項１４に記載の情報処理装置。
【請求項１６】
前記付与部は、前記撮影画像に撮影された幼児が、当該撮影画像を投稿した利用者による保育対象となっている幼児本人であるとの本人性の認証が得られた場合には、当該利用者にポイントを付与する
ことを特徴とする請求項１４または１５に記載の情報処理装置。
【請求項１７】
前記付与部は、前記所定の情報共有サービス内において前記撮影画像に与えられた評価を示す評価情報に基づいて、前記利用者に前記ポイントを付与する
ことを特徴とする請求項１４〜１６のいずれか１つに記載の情報処理装置。
【請求項１８】
情報処理装置が実行する情報処理方法であって、
利用者が幼児の保育に用いる不織布製品の購入状況を示す購入情報を取得する取得工程と、
前記購入情報が示す購入状況が所定の条件を満たすか否かを定期的に判定する判定工程と、
前記購入状況が所定の条件を満たすと判定される間、前記幼児が生誕してから経過した経過期間に応じたイベント向けの景品を、前記利用者に対して提供される景品として定期的に決定する決定工程と
を含むことを特徴とする情報処理方法。
【請求項１９】
利用者が幼児の保育に用いる不織布製品の購入状況を示す購入情報を取得する取得手順と、
前記購入情報が示す購入状況が所定の条件を満たすか否かを定期的に判定する判定手順と、
前記購入状況が所定の条件を満たすと判定される間、前記幼児が生誕してから経過した経過期間に応じたイベント向けの景品を、前記利用者に対して提供される景品として定期的に決定する決定手順と
をコンピュータに実行させるための情報処理プログラム。
【発明の詳細な説明】
【技術分野】
【０００１】
本発明は、情報処理装置、情報処理方法および情報処理プログラムに関する。
【背景技術】
【０００２】
近年、インターネットの普及に伴い、育児関連商品に関する様々な情報提供が行われている。例えば、ユーザに対し、子供の月齢に合った商品情報をする技術が知られている。
【先行技術文献】
【特許文献】
【０００３】
【特許文献１】特開２００２−５６１１２号公報
【発明の概要】
【発明が解決しようとする課題】
【０００４】
しかしながら、上記の従来技術では、特定の不織布製品を継続的に購入しようという動機付けを利用者に対して効果的に行うことができるとは限らない。
【０００５】
例えば、上記の従来技術では、育児関連の商品情報を胎児又は子供の月齢に基づいて分類することにより、ユーザに対し、子供等の月齢に合った商品情報を提供することが開示されているに過ぎない。このため、上記の従来技術では、必ずしも特定の不織布製品を継続的に購入しようという動機付けを利用者に対して効果的に行うことができるとは限らない。
【０００６】
本願は、上記に鑑みてなされたものであって、特定の不織布製品を継続的に購入しようという動機付けを利用者に対して効果的に行うことを目的とする。
【課題を解決するための手段】
【０００７】
本願に係る情報処理装置は、利用者が幼児の保育に用いる不織布製品の購入状況を示す購入情報を取得する取得部と、前記購入情報が示す購入状況が所定の条件を満たすか否かを定期的に判定する判定部と、前記購入状況が所定の条件を満たすと判定される間、前記幼児が生誕してから経過した経過期間に応じたイベント向けの景品を、前記利用者に対して提供される景品として定期的に決定する決定部とを有することを特徴とする。
【発明の効果】
【０００８】
実施形態の一態様によれば、特定の不織布製品を継続的に購入しようという動機付けを利用者に対して効果的に行うことができる。
【図面の簡単な説明】
【０００９】
【図１】図１は、実施形態に係る情報処理の一例を示す図である。
【図２】図２は、幼児の月齢と、当該月齢に応じて利用者が提供を受けることができる月齢景品とが対応付けられた一覧テーブルを示す図である。
【図３】図３は、実施形態に係る情報処理システムの一例を示す図である。
【図４】図４は、実施形態に係る情報処理装置の構成例を示す図である。
【図５】図５は、実施形態に係る景品情報記憶部の一例を示す図である。
【図６】図６は、実施形態に係る登録情報記憶部の一例を示す図である。
【図７】図７は、実施形態に係る購入情報記憶部の一例を示す図である。
【図８】図８は、実施形態に係るポイント履歴記憶部の一例を示す図である。
【図９】図９は、実施形態に係る景品履歴記憶部の一例を示す図である。
【図１０】図１０は、表示制御部により表示制御される画面の一例を示す図である。
【図１１】図１１は、実施形態に係る情報処理手順を示すフローチャートである。
【図１２】図１２は、ハードウェア構成の一例を示す図である。
【発明を実施するための形態】
【００１０】
本明細書および添付図面の記載により、少なくとも以下の事項が明らかとなる。
【００１１】
利用者が幼児の保育に用いる不織布製品の購入状況を示す購入情報を取得する取得部と、前記購入情報が示す購入状況が所定の条件を満たすか否かを定期的に判定する判定部と、前記購入状況が所定の条件を満たすと判定される間、前記幼児が生誕してから経過した経過期間に応じたイベント向けの景品を、前記利用者に対して提供される景品として定期的に決定する決定部とを有することを特徴とする情報処理装置。
【００１２】
このような情報処理装置によれば、特定の不織布製品を継続的に購入しようという動機付けを利用者に対して効果的に行うことができる。
【００１３】
また、情報処理装置は、前記不織布製品の購入状況に応じて付与されたポイントのうち、前記利用者が蓄積しているポイントである蓄積ポイントを示す購入情報を取得し、前記蓄積ポイントがポイントの閾値条件を満たすか否かを定期的に判定し、前記蓄積ポイントが前記閾値条件を満たすと判定される間、前記幼児が生誕してからこれまでに経過した経過期間に応じたイベント向けの景品を、前記利用者に対して提供される景品として定期的に決定する。
【００１４】
このような情報処理装置によれば、不織布製品の購入状況に応じて付与されたポイントのうち、利用者が蓄積しているポイントである蓄積ポイントを示す購入情報を取得し、蓄積ポイントがポイントの閾値条件を満たすか否かを定期的に判定し、蓄積ポイントが閾値条件を満たすと判定される間、幼児が生誕してからこれまでに経過した経過期間に応じたイベント向けの景品を、利用者に対して提供される景品として定期的に決定するため、閾値条件を満たせる程に毎回（例えば、月末ごと）ポイントが貯まるよう、継続的に不織布製品を購入しようという動機付けを利用者に対して効果的に行うことができる。
【００１５】
また、情報処理装置は、前記景品として、前記蓄積ポイントのうち、前記閾値条件に対応するポイントと引き換えとなる景品を決定する。
【００１６】
このような情報処理装置によれば、景品として、蓄積ポイントのうち、閾値条件に対応するポイントと引き換えとなる景品を決定するため、ポイントに見合った価値のある景品を利用者に提供することができるため、この景品のためならポイントが貯まるよう定期的に購入しようという高い動機付けを利用者に対して行うことができる。
【００１７】
また、情報処理装置は、前記利用者として１の利用者による保育対象となっている幼児が複数存在する場合には、保育対象となっている幼児ごとに、当該幼児が生誕してからこれまでに経過した経過期間に応じたイベント向けの景品を、当該１の利用者に対して提供される景品として決定する。
【００１８】
このような情報処理装置によれば、利用者として１の利用者による保育対象となっている幼児が複数存在する場合には、保育対象となっている幼児ごとに、当該幼児が生誕してからこれまでに経過した経過期間に応じたイベント向けの景品を、当該１の利用者に対して提供される景品として決定するため、例えば、兄弟がいることによりイベント準備の負担がより多くなるような保育者を効果的にサポートすることができる。
【００１９】
また、情報処理装置は、前記保育対象となっている幼児の間で異なる景品を、前記１の利用者に対して提供される景品として決定する。
【００２０】
このような情報処理装置によれば、保育対象となっている幼児の間で異なる景品を、１の利用者に対して提供される景品として決定するため、どのような景品が届くかその期待感を常に持たせることができるため、特定の不織布製品を継続的に購入しようという動機付けを利用者に対してより強く与えることができるようになる。
【００２１】
また、情報処理装置は、前記条件を満たすと判定される間、前記条件を満たすと判定された各時点での前記幼児の月齢に基づいて、当該月齢に応じた生誕イベント向けの景品を前記景品として決定する。
【００２２】
このような情報処理装置によれば、条件を満たすと判定される間、条件を満たすと判定された各時点での幼児の月齢に基づいて、当該月齢に応じた生誕イベント向けの景品を前記景品として決定するため、例えば、月齢ごとのイベントのために何が必要かどうかを調べなければならない手間をまくし、イベントのための効率的な準備をサポートすることができるようになる。
【００２３】
また、情報処理装置は、前記条件を満たすと判定される間、前記条件を満たすと判定された各時点に対応する季節に基づいて、前記利用者に対して提供される景品の候補のうち、前記利用者に景品が届くと推定される季節に応じた景品を前記利用者に対して提供される景品として決定する。
【００２４】
このような情報処理装置によれば、条件を満たすと判定される間、条件を満たすと判定された各時点に対応する季節に基づいて、利用者に対して提供される景品の候補のうち、利用者に景品が届くと推定される季節に応じた景品を利用者に対して提供される景品として決定するため、どのような景品が届くかその期待感を常に持たせることができるため、特定の不織布製品を継続的に購入しようという動機付けを利用者に対してより強く与えることができるようになる。
【００２５】
また、情報処理装置は、前記幼児に関する情報に基づいて、前記利用者に対して提供される景品の候補のうち、前記幼児の性別に応じた景品を前記利用者に対して提供される景品として決定する。
【００２６】
このような情報処理装置によれば、幼児に関する情報に基づいて、利用者に対して提供される景品の候補のうち、幼児の性別に応じた景品を利用者に対して提供される景品として決定するため、例えば、男の子幼児に女の子向けの景品が渡ってしまうことによる不都合を回避することができるようになる。
【００２７】
また、情報処理装置は、前記景品が提供されるサービスに申し込んでいない利用者に対して、当該サービスへの申込を案内する案内情報を通知する通知部をさらに有する。
【００２８】
このような情報処理装置によれば、景品が提供されるサービスに申し込んでいない利用者に対して、当該サービスへの申込を案内する案内情報を通知するため、サービス利用者を増やすことができる。
【００２９】
また、情報処理装置は、前記取得部により取得された購入情報に基づいて、前記利用者に配信される配信対象の広告コンテンツを制御する広告制御部をさらに有する。
【００３０】
このような情報処理装置によれば、取得した購入情報に基づいて、利用者に配信される配信対象の広告コンテンツを制御するため、特定の不織布製品やその関連商品を効果的に広告することができる。
【００３１】
また、情報処理装置は、前記利用者に関する利用者情報と、前記利用者による保育対象となっている幼児に関する幼児情報とをさらに取得し、前記購入情報、前記利用者情報、および、前記幼児情報に基づいて、前記利用者に配信される配信対象の広告コンテンツを制御する。
【００３２】
このような情報処理装置によれば、利用者に関する利用者情報と、利用者による保育対象となっている幼児に関する幼児情報とをさらに取得し、購入情報、利用者情報、および、幼児情報に基づいて、利用者に配信される配信対象の広告コンテンツを制御するため、例えば、利用者およびこの利用者の幼児の双方に合った広告コンテンツを提供することができるため、より利用者に最適な広告配信を実現することができるようになる。
【００３３】
また、情報処理装置は、決定部により決定された景品を用いた前記利用者によるアクションに応じて、前記利用者にポイントを付与する付与部をさらに有する。
【００３４】
このような情報処理装置によれば、決定した景品を用いた利用者によるアクションに応じて、利用者にポイントを付与するため、景品を有効活用できる場を広げるとともに、親子間でのイベントをより楽しむことができる機会を与えることができるようになる。
【００３５】
また、情報処理装置は、前記ポイントとして、前記景品が提供されるサービスで利用可能なポイントを付与する。
【００３６】
このような情報処理装置によれば、景品が提供されるサービスで利用可能なポイントを付与するため、サービスの利用者を効果的に増やすことができる。
【００３７】
また、情報処理装置は、前記景品と前記幼児とがともに撮影された撮影画像が所定の情報共有サービスで共有されるよう当該撮影画像を前記利用者が投稿した場合には、前記利用者にポイントを付与する。
【００３８】
このような情報処理装置によれば、所定の情報共有サービスにおいて景品と幼児とがともに撮影された撮影画像が共有されるよう当該撮影画像を前記利用者が投稿した場合には、利用者にポイントを付与するため、例えば、この景品をもらうどうしたらよかという興味から、特定の不織布製品の購入へと保育者を誘導することができるようになるため、保育者を実施形態に係るサービスへと効果的に囲い込むことができるようになる。
【００３９】
また、情報処理装置は、前記撮影画像に撮影された景品が、当該撮影画像を投稿した利用者に提供された実績のある景品であると判定された場合には、当該利用者にポイントを付与する。
【００４０】
このような情報処理装置によれば、撮影画像に撮影された景品が、当該撮影画像を投稿した利用者に提供された実績のある景品であると判定された場合には、当該利用者にポイントを付与するため、景品の提供を受けたことがないような無関係な人物が不正にポイントを得られないよう制御することができる。
【００４１】
また、情報処理装置は、前記撮影画像に撮影された幼児が、当該撮影画像を投稿した利用者による保育対象となっている幼児本人であるとの本人性の認証が得られた場合には、当該利用者にポイントを付与する。
【００４２】
このような情報処理装置によれば、撮影画像に撮影された幼児が、当該撮影画像を投稿した利用者による保育対象となっている幼児本人であるとの本人性の認証が得られた場合には、当該利用者にポイントを付与するため、例えば、特定の利用者が自身の子供だけでなく、他者の子供までも利用して多くの撮影画像を投稿することで不正に多くのポイントを得られないよう制御することができる。
【００４３】
また、情報処理装置は、前記所定の情報共有サービス内において前記撮影画像に与えられた評価を示す評価情報に基づいて、前記利用者に前記ポイントを付与する。
【００４４】
このような情報処理装置によれば、所定の情報共有サービス内において撮影画像に与えられた評価を示す評価情報に基づいて、利用者にポイントを付与するため、インフルエンサーとなってくれた利用者に報酬としてのポイントを付与することができる。
【００４５】
以下に、情報処理装置、情報処理方法および情報処理プログラムを実施するための形態（以下、「実施形態」と記載する）の一例について図面を参照しつつ詳細に説明する。なお、この実施形態によりム情報処理装置、情報処理方法、情報処理プログラムおよび情報処理システムが限定されるものではない。また、以下の実施形態において同一の部位には同一の符号を付し、重複する説明は省略する。
【００４６】
［実施形態］
〔１．情報処理の概要〕
まず、実施形態に係る情報処理の概要について説明する。例えば、１歳未満の幼児がいるような両親は、オムツやおしり拭き等の不織布製品が常に必要となるため定期的にこれを購入する必要がある。よって、このような両親に向けて、独自のオリジナルブランドが与えられた不織布製品が各社から発売されている。また、例えば、自社の不織布製品が継続して購入されるよう、購入者には様々なポイントを付与する等の方策がとられている。
【００４７】
しかしながら、多くの両親にとって重要なのは、単純には価格の安さ、であることも多く、例えば、これまでＡ社ブランドの不織布製品を購入していたが、これと似通った商品の仕様でより低価格なＢ社ブランドの不織布製品を見つけた場合には、Ａ社ブランドの製品からＢ社ブランドの製品へと乗り換える、といった両親も少なくない。
【００４８】
実施形態に係る情報処理は、このような課題に鑑みて、ポイント付与対象となっている特定の不織布製品の購入に応じて利用者が所定の条件を満たす限り、幼児が生誕してから経過した経過期間に応じたイベント向けの景品が利用者に定期的に提供されるよう制御するものである。そして、このような情報処理によれば、景品の提供を受けるために条件を満たせるよう特定の不織布製品を購入し続けようという動機付けを利用者に対して効果的に行うことができるようになるため、特定の不織布製品へと利用者を定着させることができるようになると考えられる。
【００４９】
また、実施形態に係る情報処理は、幼児が生誕してから経過した経過期間（例えば、幼児の月齢）に応じたイベント（例えば、生誕２ヶ月お祝いイベント）向けの景品が利用者に定期的（例えば、毎月）に届けられる定期便サービス（以下、「定期便サービスＳＡ」と表記する）に対応するシステム（実施形態に係る情報処理システム）を対象として行われる制御処理である。
【００５０】
〔２．定期便サービスについて〕
定期便サービスＳＡについて具体的に説明する。定期便サービスＳＡは、ブランド名「ブランドＢＲ１」シリーズの各種ケア商品（例えば、育児関連商品）を展開している事業者である事業者Ｔによって運営されるサービスである。なお、後述する情報処理装置１００は、事業者Ｔの管理下にあるサーバ装置である。定期便サービスＳＡでは、例えば、１歳未満の幼児を対象として、事業者Ｔ独自のポイントサービスで付与されるポイントと引き換えに（すなわち、ポイントを原資として）、上記イベント向けの景品を利用者に定期的に届けるというサービスである。
【００５１】
係る景品は、例えば、１歳未満の幼児の月齢を祝うための記念写真撮影会（生誕イベントの一例）に用いられる専用のキットであり、見映えをよくするためのアイデア（例えば、オリジナルキャラクターや装飾等）が施された非売品製品（月齢景品）である。このように、定期便サービスＳＡで提供される景品には、幼児を保育する保育者としての立場にある利用者（例えば、両親）の入手意欲を湧き立たせるような工夫がなされている。
【００５２】
また、定期便サービスＳＡでは、利用者による育児対象となっている幼児（すなわち、利用者の子供）の現在の月齢に応じて、係る幼児を対象にどの月齢の生誕イベント向けの景品を提供対象の景品とするかが決定される。ここで、図２を用いて、月齢と景品との対応付けについて説明する。図２には、幼児の月齢と、当該月齢に応じて利用者が提供を受けることができる月齢景品とが対応付けられた一覧テーブルＴＢが示される。一覧テーブルＴＢは、提供対象の景品を決定する際において情報処理装置１００に利用される。したがって、一覧テーブルＴＢは、例えば、情報処理装置１００内の所定の記憶部に予め格納されることができる。
【００５３】
例えば、図２に示す一覧テーブルＴＢでは、月齢「０ヶ月目」に対して、「生誕２ヶ月お祝いギフト」〜「生誕１年お祝いギフト」といった月齢に応じた１１の月齢景品が対応付けられている。係る例は、現時点で月齢「０ヶ月目」の幼児がいる利用者が定期便サービスＳＡに応募した場合には、係る利用者は、最短で２ヶ月先の「生誕２ヶ月お祝いギフト」を受けることができ、それ以降条件を満たす限り「生誕１年お祝いギフト」までを受ける権利を有することを示す。
【００５４】
また、例えば、図２に示す一覧テーブルＴＢでは、月齢「１ヶ月目」に対して、「生誕３ヶ月お祝いギフト」〜「生誕１年お祝いギフト」といった月齢に応じた１１の月齢景品が対応付けられている。係る例は、現時点で月齢「１ヶ月目」の幼児がいる利用者が定期便サービスＳＡに応募した場合には、係る利用者は、最短で２ヶ月先の「生誕３ヶ月お祝いギフト」を受けることができ、それ以降条件を満たす限り「生誕１年お祝いギフト」までを受ける権利を有することを示す。
【００５５】
また、２ヶ月先という時間的余裕が設けられているのは、配送に要する時間を考慮したものである。これにより、例えば、既に過ぎてしまった月齢生誕を祝うための景品が届いてしまわないよう調整することができる。
【００５６】
また、上記例に倣って「１０ヶ月目」まで同様に説明可能であるため詳細な説明を省略する。
【００５７】
〔３．情報処理システム〕
以下、図１において実施形態に係る情報処理の具体例を示すが、それに先立って、図２に引き続き図３を用いて、実施形態に係る情報処理システムについて説明する。図３は、実施形態に係る情報処理システム１の一例を示す図である。実施形態に係る情報処理システム１は、図３に示すように、端末装置１０と、情報処理装置１００とを含む。端末装置１０、情報処理装置１００は、ネットワークＮ（不図示）を介して有線または無線により通信可能に接続される。なお、図３に示す情報処理システム１には、複数台の端末装置１０や、複数台の情報処理装置１００が含まれてよい。
【００５８】
端末装置１０は、幼児を保育する保育者としての立場にある利用者（例えば、両親）によって利用される情報処理端末である。端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等である。また、端末装置１０には、以下に説明する情報処理装置１００との間で情報の送受信を実現する所定のアプリケーション（以下、「アプリＡＰ」とする）が予め導入されているものとする。また、アプリＡＰは、定期便サービスＳＡに対応したアプリケーションである。
【００５９】
情報処理装置１００は、実施形態に係る情報処理を行うサーバ装置である。情報処理装置１００は、実施形態に係る情報処理プログラムが展開されることで、実施形態に係る情報処理として以下のような処理を行う。具体的には、情報処理装置１００は、利用者が幼児の保育に用いる不織布製品の購入状況を示す購入情報を取得し、取得した購入情報が示す購入状況が所定の条件を満たすか否かを定期的に判定する。そして、情報処理装置１００は、購入状況が所定の条件を満たすと判定される間、幼児が生誕してから経過した経過期間に応じたイベント向けの景品を、利用者に対して提供される景品として定期的に決定する。
【００６０】
また、図１の内容により則したかたちでは、情報処理装置１００は、利用者が幼児の保育に用いる不織布製品の購入状況に応じて付与されたポイントのうち、利用者が蓄積しているポイントである蓄積ポイントを示す購入情報を取得し、蓄積ポイントがポイントの閾値条件を満たすか否かを定期的に判定する。そして、情報処理装置１００は、蓄積ポイントが閾値条件を満たすと判定される間、幼児が生誕してからこれまでに経過した経過期間に応じたイベント向けの景品を、利用者に対して提供される景品として定期的に決定する。例えば、情報処理装置１００は、閾値条件を満たすと判定される間、閾値条件を満たすと判定された各時点での幼児の月齢に基づいて、当該月齢に応じた生誕イベント向けの景品（月齢景品）を利用者に対して提供される景品として決定する。
【００６１】
なお、情報処理装置１００は、クラウドによって実現されてもよい。
【００６２】
〔４．実施形態に係る情報処理の一例〕
ここからは、図１を用いて、実施形態に係る情報処理の一例について説明する。図１は、実施形態に係る情報処理の一例を示す図である。図１では、後述する購入情報記憶部１２３およびポイント履歴記憶部１２４それぞれの内部情報の遷移を用いて、実施形態に係る情報処理を説明する。
【００６３】
また、図１では、幼児Ｂ１１を保育する保育者としての立場にある利用者の一例として利用者Ｕ１が示されている。つまり、利用者Ｕ１は、例えば、幼児Ｂ１１の母親（もしくは父親）である。また、図１に示される端末装置１０は、利用者Ｕ１によって利用される情報処理端末であり、アプリＡＰがインストールされている。
【００６４】
また、図１では、事業者Ｔが展開するブランドＢＲ１シリーズの各種ケア商品のうち、不織布製品の一種である幼児用オムツＰＤ１（「オムツＰＤ１」と略す）が、ポイント付与対象となっているものとする。また、係るポイントは、事業者Ｔ独自のポイントサービスにて付与されるポイントである。また、以下の実施形態では、「ポイント」はその実際の値を示す「ポイント数」の概念を含むものとする。
【００６５】
また、オムツＰＤ１には、オムツＰＤ１に紐付けられたアクティベーションコードがパッケージ内部に付されており、アプリＡＰを介してこのアクティベーションコードが入力された場合に、オムツＰＤ１が購入されたことに応じた数のポイントが付与されるようになっている。
【００６６】
このような状態において、利用者Ｕ１は、オムツＰＤ１を１パック（例えば、１パック９０枚入り）購入し、パッケージングされているアクティベーションコードをアプリＡＰを介して入力したとする。係る場合、端末装置１０は、利用者Ｕ１の操作に応じて、入力されたアクティベーションコードを示すコード情報を情報処理装置１００に送信する（ステップＳ１１）。
【００６７】
情報処理装置１００は、ステップＳ１１によりコード情報を取得すると、コード情報に紐付けられる商品情報（図１の例では、オムツＰＤ１を１パックを示す商品情報）に基づいて、購入情報記憶部１２３を更新する（ステップＳ１２）。例えば、情報処理装置１００は、コード情報に紐付けられる商品情報に基づいて、利用者Ｕ１を識別する利用者ＩＤ「Ｕ１」に対応付けられる「日時情報」および「商品情報」を更新する。ここでは、利用者Ｕ１が「２０２０年３月１５日」にアクティベーションコードを入力したことにより、情報処理装置１００は、日時情報「２０２０年３月１５日」および商品情報「商品情報♯１１」を購入情報記憶部１２３に新たに登録している。商品情報♯１１は、例えば、オムツＰＤ１を示す情報（例えば、ブランド名、商品名、商品コード、購入数等）が含まれる。
【００６８】
また、情報処理装置１００は、ステップＳ１１によりコード情報を取得すると、コード情報に紐付けられる商品情報（図１の例では、オムツＰＤ１を１パックを示す商品情報）に基づいて、ポイント履歴記憶部１２４を更新する（ステップＳ１３）。例えば、情報処理装置１００は、コード情報に紐付けられる商品情報に基づいて、利用者Ｕ１を識別する利用者ＩＤ「Ｕ１」に対応付けられる「日時情報」、「内容」、「ポイント実績」、「蓄積ポイント」を更新する。
【００６９】
ここで、オムツＰＤ１が１パック購入された場合には「２００ｐｔ」付与されることが予め規定されており、現時点での利用者Ｕ１が保有している蓄積ポイントが「５０ｐｔ」であるものとする。係る例では、情報処理装置１００は、利用者Ｕ１が「２０２０年３月１５日」にアクティベーションコードを入力したことにより、日時情報「２０２０年３月１５日」、内容「オムツＰＤ１購入」、ポイント実績「＋２００ｐｔ」、蓄積ポイント「２５０ｐｔ」（５０ｐｔ＋２００ｐｔ）をポイント履歴記憶部１２４に新たに登録する。
【００７０】
また、ここで、利用者Ｕ１は、アプリＡＰを介して定期便サービスＳＡに申し込んだとする。例えば、利用者Ｕ１は、定期便サービスＳＡで展開されているコースのうち、Ｃ１コースを選択したうえで定期便サービスＳＡに申し込んだとする。係る場合、情報処理装置１００は、利用者Ｕ１から定期便サービスＳＡ「Ｃ１コース」への申込を受け付ける（ステップＳ１４）。
【００７１】
また、情報処理装置１００は、定期便サービスＳＡへ申し込んでいる利用者を対象に、月末期限で、月末ごとにポイント閾値条件「最低２００ｐｔ」を満たしているか否かを判定するものとする。したがって、情報処理装置１００は、３月末になったことにより判定処理を行うタイミングになったと判断すると、３月末現時点での利用者Ｕ１の蓄積ポイント「２５０ｐｔ」がポイント閾値条件「最低２００ｐｔ」を満たしているか否かを判定する（ステップＳ１５）。
【００７２】
係る例では、情報処理装置１００は、ポイント閾値条件を満たしていると判定し、３月末現時点での幼児Ｂ１１の月齢に基づいて、「Ｃ１コース」に対応する候補景品のうち、利用者Ｕ１に対する提供対象の景品を決定する（ステップＳ１６）。３月末現時点での幼児Ｂ１１の月齢が「月齢３ヶ月」であるとする。そうすると、情報処理装置１００は、例えば、「月齢３ヶ月」に基づいて、どの月齢の生誕イベント向けの景品を提供対象の景品とするかを決定する。例えば、情報処理装置１００は、一覧テーブルＴＢと「月齢３ヶ月」（３ヶ月目）とを照らし合わせて、最短となる２ヶ月先の「生誕５ヶ月お祝いギフト」を提供対象の景品として決定する。
【００７３】
また、情報処理装置１００は、ステップＳ１６での決定結果に基づいて、ポイント履歴記憶部１２４を更新し、また、ステップＳ１６で決定された景品が利用者Ｕ１に届けられるよう配送制御する（ステップＳ１７）。例えば、情報処理装置１００は、決定結果に基づいて、利用者Ｕ１を識別する利用者ＩＤ「Ｕ１」に対応付けられる「日時情報」、「内容」、「ポイント実績」、「蓄積ポイント」を更新する。
【００７４】
例えば、情報処理装置１００は、３月末に判定処理（ステップＳ１５）を行ったことにより、日時情報「２０２０年３月３１日」、内容「定期便Ｃ１コース（月齢５ヶ月景品）」、ポイント実績「−２００ｐｔ」、蓄積ポイント「５０ｐｔ」（２５０ｐｔ−２００ｐｔ）をポイント履歴記憶部１２４に新たに登録する。ここで、ポイント実績「−２００ｐｔ」となっているのは、これまでの蓄積ポイント「２５０ｐｔ」のうち「２００ｐｔ」が、月齢５ヶ月景品との引き換えに消費されたことを意味する。すなわち、蓄積ポイント「２５０ｐｔ」のうち「２００ｐｔ」が、月齢５ヶ月景品の原資となったことを意味する。
【００７５】
また、これまでの例から時間経過し、利用者Ｕ１は、引き続きオムツＰＤ１を１パック購入し、パッケージングされているアクティベーションコードをアプリＡＰを介して入力したとする。係る場合、端末装置１０は、利用者Ｕ１の操作に応じて、入力されたアクティベーションコードを示すコード情報を情報処理装置１００に送信する（ステップＳ１８）。
【００７６】
情報処理装置１００は、ステップＳ１８によりコード情報を取得すると、コード情報に紐付けられる商品情報に基づいて、購入情報記憶部１２３を更新する（ステップＳ１９）。例えば、情報処理装置１００は、コード情報に紐付けられる商品情報に基づいて、利用者Ｕ１を識別する利用者ＩＤ「Ｕ１」に対応付けられる「日時情報」および「商品情報」を更新する。ここでは、利用者Ｕ１が「２０２０年４月１５日」にアクティベーションコードを入力したことにより、情報処理装置１００は、日時情報「２０２０年４月１５日」および商品情報「商品情報♯１１」を購入情報記憶部１２３に新たに追加登録している。
【００７７】
また、情報処理装置１００は、ステップＳ１８によりコード情報を取得すると、コード情報に紐付けられる商品情報に基づいて、ポイント履歴記憶部１２４を更新する（ステップＳ２０）。ステップＳ１３の例に倣って、情報処理装置１００は、利用者Ｕ１が「２０２０年４月１５日」にアクティベーションコードを入力したことにより、日時情報「２０２０年４月１５日」、内容「オムツＰＤ１購入」、ポイント実績「＋２００ｐｔ」、蓄積ポイント「２５０ｐｔ」（５０ｐｔ＋２００ｐｔ）をポイント履歴記憶部１２４に新たに追加登録する。
【００７８】
また、情報処理装置１００は、４月末になったことにより判定処理を行うタイミングになったと判断すると、４月末現時点での利用者Ｕ１の蓄積ポイント「２５０ｐｔ」がポイント閾値条件「最低２００ｐｔ」を満たしているか否かを判定する（ステップＳ２１）。
【００７９】
係る例では、情報処理装置１００は、ポイント閾値条件を満たしていると判定し、４月末現時点での幼児Ｂ１１の月齢に基づいて、「Ｃ１コース」に対応する候補景品のうち、利用者Ｕ１に対する提供対象の景品を決定する（ステップＳ２２）。４月末現時点では幼児Ｂ１１の月齢が「月齢４ヶ月」となっている。したがって、情報処理装置１００は、「月齢４ヶ月」に基づいて、どの月齢の生誕イベント向けの景品を提供対象の景品とするかを決定する。例えば、情報処理装置１００は、一覧テーブルＴＢと「月齢４ヶ月」（４ヶ月目）とを照らし合わせて、最短となる２ヶ月先の「生誕６ヶ月お祝いギフト」を提供対象の景品として決定する。
【００８０】
また、情報処理装置１００は、ステップＳ２２での決定結果に基づいて、ポイント履歴記憶部１２４を更新し、また、ステップＳ２２で決定された景品が利用者Ｕ１に届けられるよう配送制御する（ステップＳ２３）。例えば、情報処理装置１００は、決定結果に基づいて、利用者Ｕ１を識別する利用者ＩＤ「Ｕ１」に対応付けられる「日時情報」、「内容」、「ポイント実績」、「蓄積ポイント」を更新する。
【００８１】
例えば、情報処理装置１００は、４月末に判定処理（ステップＳ２１）を行ったことにより、日時情報「２０２０年４月３０日」、内容「定期便Ｃ１コース（月齢６ヶ月景品）」、ポイント実績「−２００ｐｔ」、蓄積ポイント「５０ｐｔ」（２５０ｐｔ−２００ｐｔ）をポイント履歴記憶部１２４に新たに追加登録する。ここで、ポイント実績「−２００ｐｔ」となっているのは、これまでの蓄積ポイント「２５０ｐｔ」のうち「２００ｐｔ」が、月齢６ヶ月景品との引き換えに消費されたことを意味する。すなわち、蓄積ポイント「２５０ｐｔ」のうち「２００ｐｔ」が、月齢６ヶ月景品の原資となったことを意味する。
【００８２】
ここで、これまで説明してきた通り、情報処理装置１００は、例えば、月末ごとにポイント閾値条件「最低２００ｐｔ」を満たしているか判定するが、利用者Ｕ１は、「２０２０年４月１５日」にオムツＰＤ１を購入した以降、翌月末（５月末）までオムツＰＤ１を購入しなかったとする。つまり、利用者Ｕ１は、月末期限を迎えるまでに「２００ｐｔ」以上貯まるようこれまでは定期的にオムツＰＤ１を購入していたが、定期的な購入が途絶えた状態で次の月末期限を迎えたとする。
【００８３】
係る場合、情報処理装置１００は、これまでの例の通り、５月末現時点での利用者Ｕ１の蓄積ポイントがポイント閾値条件「最低２００ｐｔ」を満たしているか否かを判定するが（ステップＳ２４）、購入が途絶えたことで「２０２０年４月３０日」以降蓄積ポイント「５０ｐｔ」のままの今回の例では、ポイント閾値条件を満たしていないと判定する。
【００８４】
また、情報処理装置１００は、蓄積ポイントがポイント閾値条件「最低２００ｐｔ」を満たしてないと判定したことで、この時点での幼児Ｂ１１の月齢（月齢５ヶ月）に基づいて、月齢７ヶ月景品を届けるという、今月の定期便を停止することを決定する（ステップＳ２５）。
【００８５】
また、情報処理装置１００は、ステップＳ２５での決定結果に基づいて、ポイント履歴記憶部１２４を更新する（ステップＳ２６）。例えば、情報処理装置１００は、決定結果に基づいて、利用者Ｕ１を識別する利用者ＩＤ「Ｕ１」に対応付けられる「日時情報」、「内容」、「ポイント実績」、「蓄積ポイント」を更新する。
【００８６】
例えば、情報処理装置１００は、５月末に判定処理（ステップＳ２４）を行ったことにより、日時情報「２０２０年５月３１日」、内容「定期便Ｃ１コース（月齢７ヶ月景品）停止」、ポイント実績「０ｐｔ」、蓄積ポイント「５０ｐｔ」をポイント履歴記憶部１２４に新たに追加登録する。ここで、ポイント実績「０ｐｔ」となっているのは、蓄積ポイントがポイント閾値条件を満たさなかったことで定期便が停止されたことにより景品との引き換えが行われなかったためである。
【００８７】
なお、情報処理装置１００（後述する表示制御部１３６）は、月末期限が近づいてきたタイミング（例えば、月末期限よりも所定日数前の曜日）において、ポイントが不足している旨を利用者Ｕ１に通知するこことで、不足分のポイントを補うよう促してもよい。これにより、情報処理装置１００は、オムツＰＤ１の定期的な購入が途絶えないよう利用者Ｕ１に気付きを与えることができる。また、利用者Ｕ１は、不足分のポイントを現金で補うこともできる。また、情報処理装置１００は、必ずしもオムツＰＤ１が購入されないとポイントを付与しないのではなく、例えば、ブランドＢＲ１に属する他の商品（例えば、おしり拭き）が購入された際もポイントを付与することができる。
【００８８】
また、後述するが、情報処理装置１００は、定期便サービスＳＡで提供される月齢景品とともに幼児が撮影された撮影画像が所定のＳＮＳ（Social  Networking  Service）に投稿された場合にポイントを付与することもできる。このように、本実施形態では購入活動以外にも利用者がポイントを得る様々な機会が用意されている。
【００８９】
さて、図１を用いて説明してきたように、実施形態に係る情報処理装置１００は、幼児の月齢を祝う月齢景品を利用者にお届けするという定期便サービスＳＡ（１歳未満の幼児を対象とする）への申込として、サービスに加入する幼児の登録を含む申込を受け付けておく。
【００９０】
このような状態において、情報処理装置１００は、例えば、３月末、４月末・・・といったように定期的に、申込済の利用者による蓄積ポイントがポイントの閾値条件を満たすか否かを判定する。そして、例えば、ポイントの閾値条件を満たせるよう継続してポイント対象の不織布製品を利用者が購入していることにより、ポイントの閾値条件を満たすと判定できている間は、情報処理装置１００は、サービス対象の幼児ごとに、当該幼児の現時点での月齢に基づいて、月齢に応じた生誕イベント向けの景品を定期的に決定する。一方、情報処理装置１００は、不織布製品の継続的な購入が途絶える等により蓄積ポイントがポイントの閾値条件を満たさなくなった時点で月齢景品のお届けを停止する。
【００９１】
このような情報処理装置１００によれば、月齢景品の提供を受けるために条件を満たせるよう特定の不織布製品を購入し続けようという動機付けを利用者に対して効果的に行うことができるようになるため、特定の不織布製品へと利用者を定着させることができるようになる。
【００９２】
〔５．情報処理装置の構成〕
次に、図４を用いて、実施形態に係る情報処理装置１００について説明する。図４は、実施形態に係る情報処理装置の構成例を示す図である。図４に示すように、情報処理装置１００は、通信部１１０と、記憶部１２０と、制御部１３０とを有する。
【００９３】
（通信部１１０について）
通信部１１０は、例えば、ＮＩＣ（Network  Interface  Card）等によって実現される。そして、通信部１１０は、ネットワークＮと有線または無線で接続され、例えば、端末装置１０との間で情報の送受信を行う。
【００９４】
（記憶部１２０について）
記憶部１２０は、例えば、ＲＡＭ、フラッシュメモリ等の半導体メモリ素子またはハードディスク、光ディスク等の記憶装置によって実現される。記憶部１２０は、景品情報記憶部１２１と、登録情報記憶部１２２と、購入情報記憶部１２３と、ポイント履歴記憶部１２４と、景品履歴記憶部１２５とを有する。
【００９５】
（景品情報記憶部１２１について）
景品情報記憶部１２１は、景品に関する情報を記憶する。景品情報記憶部１２１は、例えば、提供対象の景品を決定する際において決定部１３５により利用される。ここで、図５に実施形態に係る景品情報記憶部１２１の一例を示す。図５の例では、景品情報記憶部１２１は、「コース種別」、「性別」、「月齢」といった項目を有する。また、「月齢」には、実際の月齢を示す各項目（例えば、「２ヶ月」、「３ヶ月」・・・）が含まれる。
【００９６】
「コース種別」は、定期便サービスＳＡにおけるコース分類を示す情報である。例えば、定期便サービスＳＡは、景品のキャラクター、装飾、デザイン等に応じて各種のコースに分けられている。「コース種別」は、この各コースの分類を示す情報である。例えば、利用者は、「コース種別」で示される各コースの中から希望するコースを選択して定期便サービスＳＡへの申込を行う。したがって、例えば、情報処理装置１００（表示制御部１３６）は、定期便サービスＳＡへの申込を案内する案内画面において、各コースでどのような景品が提供されるのか、代表的な景品が示される画像を表示させることでコース選択を支援することができる。
【００９７】
「性別」は、「コース種別」を幼児の性別に応じてさらに細分化するものである。例えば、コース種別「Ｃ１コース」では、あるキャラクターが示された景品が対象となっているとすると、「Ｃ１コース」からさらに性別「男の子」を選択した利用者は、例えば、男の子幼児向けにアレンジされたこのキャラクターが示された景品の提供を受けることができるようになる。一方、「Ｃ１コース」からさらに性別「女の子」を選択した利用者は、例えば、女の子幼児向けにアレンジされたこのキャラクターが示された景品の提供を受けることができるようになる。
【００９８】
また、利用者が「性別」を選択せずとも、例えば、登録の際に自身の幼児の「性別」を登録しているものとする。係る場合、情報処理装置１００（決定部１３５）は、幼児に関する情報（例えば、幼児の性別を示す登録情報）に基づいて、係る利用者に対して提供される景品の候補のうち、幼児に関する情報で示される「性別」に応じた景品を提供対象の景品として決定することができる。このような情報処理装置１００によれば、幼児の性別に合った態様の景品を提供することができるため、例えば、男の子幼児に女の子向けの景品が渡ってしまうことによる不都合を回避することができるようになる。
【００９９】
「月齢」は、１歳未満の幼児の月齢に対応し、当該月齢に対応する景品を識別可能にするための情報である。図５の例では、コース種別「Ｃ１コース」および性別「男の子」と、月齢「２ヶ月」との間で、「景品Ｃ１−Ｍ２」が特定される。係る例は、例えば、「Ｃ１コース」および「男の子」を選択した利用者には、生誕２ヶ月お祝いイベント向けの景品として「景品Ｃ１−Ｍ２」が提供される旨規定されている例を示す。
【０１００】
なお、図５に示す景品情報記憶部１２１は一例であり、例えば、「季節」や「兄弟関係」に応じて細分化されていてもよい。このような細分化がなされている場合、情報処理装置１００（決定部１３５）は、例えば、時季に応じて態様が異なる景品や、兄と弟の間で態様の異なる景品が提供されるよう制御することができる。このような情報処理装置１００によれば、例えば、別のお母さんが見せてくれた景品と同じものが届いてがっかり、あるいは、お兄ちゃんのときと同じものが弟のときも届いてがっかりといったように利用者を退屈させてしまうこと防止することができる。この結果、どのような景品が届くかその期待感を常に持たせることができるため、特定の不織布製品を継続的に購入しようという動機付けを利用者に対してより強く与えることができるようになる。
【０１０１】
（登録情報記憶部１２２について）
登録情報記憶部１２２は、情報処理装置１００に対して（アプリＡＰの利用に際して）利用者が登録した登録情報を記憶する。ここで、図６に実施形態に係る登録情報記憶部１２２の一例を示す。図６の例では、登録情報記憶部１２２は、「利用者ＩＤ（Identifier）」、「利用者情報」、「被保育者情報」、「サービス申込状況」といった項目を有する。
【０１０２】
「利用者ＩＤ」は、登録者、すなわち幼児を保育する保育者としての立場にある利用者（例えば、両親）を識別する識別情報を示す。「利用者ＩＤ」は、例えば、登録の際に利用者が設定したログインＩＤである。「利用者情報」は、「利用者ＩＤ」が示す利用者に関する各種情報を示す。図６の例では、「利用者情報♯１」といったように概念表記されているが、「利用者情報」は、具体的には、利用者の性別、氏名、年齢、住所、職業、子との関係等を示す情報である。
【０１０３】
「被保育者情報」は、「利用者ＩＤ」が示す利用者による保育対象となっている幼児の関する各種情報を示す。図６の例では、「被保育者情報」には、「幼児ＩＤ」、「氏名」、「年齢（月齢）」、「関係」といった項目が含まれる。
【０１０４】
「幼児ＩＤ（Identifier）」は、「利用者ＩＤ」が示す利用者による保育対象となっている幼児を識別する識別情報を示す。「氏名」は、「幼児ＩＤ」が示す幼児の氏名に関する情報を示す。「年齢（月齢）」は、「幼児ＩＤ」が示す幼児の年齢に関する情報を示す。「関係」は、「幼児ＩＤ」が示す幼児の兄弟関係に関する情報を示す。図６の例では、利用者ＩＤ「Ｕ１」および幼児ＩＤ「Ｂ１１」に対応付けて、関係「一人っ子」が登録されている。係る例は、利用者Ｕ１の幼児Ｂ１１は一人っ子である例を示す。
【０１０５】
また、図６の例では、利用者ＩＤ「Ｕ２」には、幼児ＩＤ「Ｂ２１」および幼児ＩＤ「Ｂ２２」が対応付けられ、かつ、幼児ＩＤ「Ｂ２１」に対応付けて関係「兄」が登録され、また、幼児ＩＤ「Ｂ２２」に対応付けて関係「弟」が登録されている。係る例は、利用者Ｕ２には、保育対象となっている幼児が複数（幼児Ｂ２１およびＢ２２の２人）存在し、幼児Ｂ２１およびＢ２２は互いに兄弟関係にある例を示す。
【０１０６】
このように、１の利用者による保育対象となっている幼児が複数存在し、これら幼児が定期便サービスＳＡに加入している場合、情報処理装置１００は、保育対象となっている幼児ごとに（幼児Ｂ２１、Ｂ２２ごとに）、当該幼児の月齢に基づいて、この１の利用者に対する提供対象の景品を決定する。図６の例では、情報処理装置１００（決定部１３５）は、幼児Ｂ２１が「月齢７ヶ月」であることに基づき幼児Ｂ２１の生誕イベントのための景品を決定し、幼児Ｂ２２が「月齢４ヶ月」であることに基づき幼児Ｂ２２の生誕イベントのための景品を決定する。
【０１０７】
また、情報処理装置１００（決定部１３５）は、上記の通り１の利用者による保育対象となっている幼児が複数存在する場合（例えば、兄弟関係にある２人の幼児が１の利用者によって加入登録されている場合）、保育対象となっている幼児の間で異なる景品を、当該１の利用者に対して提供される景品として決定する。
【０１０８】
図６の例では、例えば、情報処理装置１００は、幼児Ｂ２１が「月齢７ヶ月」であることに基づき兄の幼児Ｂ２１の生誕イベントのための景品として、この先、生誕９ヶ月〜生誕１年お祝いイベント向けの景品を決定するとする。また、図６の例では、情報処理装置１００は、弟の幼児Ｂ２２が「月齢４ヶ月」であることに基づき幼児Ｂ２２の生誕イベントのための景品として、この先、生誕６ヶ月（ハーフバースデー）〜生誕１年お祝いイベント向けの景品を決定するとする。そうすると、係る例では、情報処理装置１００は、幼児Ｂ２１に対応する生誕９ヶ月〜生誕１年お祝いイベント向けの景品と、幼児Ｂ２２に対応する生誕６ヶ月（ハーフバースデー）〜生誕１年お祝いイベント向けの景品との間で、景品が重複することが無いよう各幼児に対応する景品を決定する。
【０１０９】
このような情報処理装置１００によれば、お兄ちゃんのときと同じものが弟のときも届いてがっかりといったように利用者を退屈させてしまうこと防止することができる。この結果、情報処理装置１００は、どのような景品が届くかその期待感を常に持たせることができるため、特定の不織布製品を継続的に購入しようという動機付けを利用者に対してより強く与えることができるようになる。
【０１１０】
「サービス申込状況」は、定期便サービスＳＡへの申込状況を示す情報である。図６の例では、利用者ＩＤ「Ｕ１」に対してサービス申込状況「済」が対応付けられている。係る例は、利用者Ｕ１が定期便サービスＳＡへ申込済である例を示す。また、図６の例では、利用者ＩＤ「Ｕ３」に対してサービス申込状況「未」が対応付けられている。係る例は、利用者Ｕ３が定期便サービスＳＡへ未申込である例を示す。
【０１１１】
また、図６に示すように、「利用者ＩＤ」に対して、当該「利用者ＩＤ」が示す利用者に属する各幼児の「幼児ＩＤ」が対応付けられることで、例えば、家族内で（母親と父親の間で）、自身たちの子供の状況（例えば、月齢）に応じて変化するポイントを共有させることができるようになる。
【０１１２】
（購入情報記憶部１２３について）
購入情報記憶部１２３は、利用者による商品購入に関する履歴情報を記憶する。例えば、購入情報記憶部１２３は、アクティベーションコードが付されポイント対象となっている不織布製品（図１の例では、ブランドＢＲ１シリーズに属する商品）の購入に関する履歴情報を記憶する。ここで、図７に実施形態に係る購入情報記憶部１２３の一例を示す。図７の例では、購入情報記憶部１２３は、「利用者ＩＤ（Identifier）」、「購入履歴」、「ポイント情報」といった項目を有する。
【０１１３】
「利用者ＩＤ」は、登録者、すなわち幼児を保育する保育者としての立場にある利用者（例えば、両親）を識別する識別情報を示す。「利用者ＩＤ」は、例えば、登録の際に利用者が設定したログインＩＤである。
【０１１４】
「購入履歴」は、利用者による商品購入に関する履歴情報を示す。図７の例では、「購入履歴」には、「日時情報」および「商品情報」といった項目が含まれる。「日時情報」は、「商品情報」で示される商品が購入された日時に関する情報を示す。例えば、「日時情報」は、有効期限が決められたアクティベーションコードが入力された（アクティベーションコードが受け付けられた）日時を示すものであってもよい。「商品情報」は、利用者ＩＤが示す利用者によって購入された商品に関する情報を示す。図７の例では、「商品情報♯１１」といったように概念表記されているが、「商品情報」には、例えば、購入された商品に対応するブランド名、商品名、商品コード、購入数等が含まれる。
【０１１５】
「ポイント情報」は、「商品情報」に対応するポイントの内容を示す情報である。図７の例では、「ポイント情報♯１１」といったように概念表記されているが、「ポイント情報」には、例えば、「商品情報」で示される商品が、「商品情報」で示される数だけ購入されたことに応じて付与されたポイントが含まれる。
【０１１６】
（ポイント履歴記憶部１２４について）
ポイント履歴記憶部１２４は、利用者によるポイント対象となる行動に応じて付与されたポイントに関する履歴情報を記憶する。ここで、図８に実施形態に係るポイント履歴記憶部１２４の一例を示す。図８の例では、ポイント履歴記憶部１２４は、「利用者ＩＤ（Identifier）」、「ポイント履歴」といった項目を有する。
【０１１７】
「利用者ＩＤ」は、登録者、すなわち幼児を保育する保育者としての立場にある利用者（例えば、両親）を識別する識別情報を示す。「利用者ＩＤ」は、例えば、登録の際に利用者が設定したログインＩＤである。
【０１１８】
「ポイント履歴」は、利用者によるポイント対象となる行動に応じて付与されたポイントに関する履歴情報を示す。図８の例では、「ポイント履歴」には、「日時情報」、「内容」、「ポイント実績」、「蓄積ポイント」といった項目が含まれる。「日時情報」は、ポイントの付与（加算）、または、ポイントの回収（減算）といったポイント制御が行われた日時に関する情報を示す。「内容」は、「ポイント実績」で示されるようにポイント制御が行われた根拠を示す具体的な内容である。「ポイント実績」は、どれだけのポイントが付与（加算）されたか、または、どれだけのポイントが回収（減算）されたか、その制御内容を示す。「蓄積ポイント」は、「ポイント実績」のようにポイント制御されることで、現時点で蓄積されているポイントを示す。すなわち、「蓄積ポイント」は、現時点での利用者の保有ポイントである。
【０１１９】
なお、図８の例は、図１で説明したポイント履歴の遷移に対応し、また、ステップＳ２６の処理が行われた時点の例に対応するものである。
【０１２０】
（景品履歴記憶部１２５について）
景品履歴記憶部１２５は、月齢景品の提供履歴を定期便サービスＳＡに加入されている幼児ごとに記憶する。ここで、図９に実施形態に係る景品履歴記憶部１２５の一例を示す。図９の例では、景品履歴記憶部１２５は、「利用者ＩＤ（Identifier）」、「幼児ＩＤ」、「景品履歴」、「備考」といった項目を有する。
【０１２１】
「利用者ＩＤ」は、登録者、すなわち幼児を保育する保育者としての立場にある利用者（例えば、両親）を識別する識別情報を示す。「利用者ＩＤ」は、例えば、登録の際に利用者が設定したログインＩＤである。「幼児ＩＤ」は、「利用者ＩＤ」が示す利用者による保育対象となっている幼児を識別する識別情報を示す。また、「幼児ＩＤ」は、定期便サービスＳＡに加入するよう申込まれている幼児を識別する識別情報を示す。
【０１２２】
「景品履歴」は、月齢景品の提供に関する履歴情報を示す。図９の例では、「景品履歴」には、「日時情報」、「内容」、「ポイント実績」といった項目が含まれる。「日時情報」は、ポイントの付与（加算）、または、ポイントの回収（減算）といったポイント制御が行われた日時に関する情報を示す。「内容」は、「ポイント実績」で示されるようにポイント制御が行われた根拠を示す具体的な内容である。「ポイント実績」は、どれだけのポイントが付与（加算）されたか、または、どれだけのポイントが回収（減算）されたか、その制御内容を示す。
【０１２３】
「備考」は、「内容」や「ポイント実績」を補足するための補足情報を示す。
【０１２４】
（その他の記憶部について）
不図示であるが、情報処理装置１００は、利用者に対して配信される配信候補の広告コンテンツが格納される広告コンテンツ記憶部をさらに有してもよい。広告コンテンツ記憶部では、例えば、広告コンテンツを入稿した入稿元（例えば、スポンサー等の広告主）を識別する「広告主ＩＤ」と、広告コンテンツを識別する「広告ＩＤ」と、配信対象の利用者を条件付ける「ターゲット情報」と、実際の広告コンテンツである「広告データ」とが対応付けて記憶される。
【０１２５】
（制御部１３０について）
図４に戻り、制御部１３０は、ＣＰＵ（Central  Processing  Unit）やＭＰＵ（Micro  Processing  Unit）等によって、情報処理装置１００内部の記憶装置に記憶されている各種プログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【０１２６】
図４に示すように、制御部１３０は、登録受付部１３１と、申込受付部１３２と、取得部１３３と、判定部１３４と、決定部１３５と、表示制御部１３６と、広告制御部１３７と、付与部１３８と、投稿制御部１３９とを有し、以下に説明する情報処理の機能や作用を実現または実行する。なお、制御部１３０の内部構成は、図４に示した構成に限られず、後述する情報処理を行う構成であれば他の構成であってもよい。また、制御部１３０が有する各処理部の接続関係は、図４に示した接続関係に限られず、他の接続関係であってもよい。
【０１２７】
（登録受付部１３１について）
登録受付部１３１は、アプリＡＰの利用に際して、利用者から各種の情報登録を受け付ける。例えば、登録受付部１３１は、図６で説明した「利用者情報」および「被保育者承応」の登録を受ける。また、登録受付部１３１は、受け付けた情報を登録情報記憶部１２２に格納する。
【０１２８】
（申込受付部１３２について）
申込受付部１３２は、定期便サービスＳＡへの申込を受け付ける。例えば、申込受付部１３２は、定期便サービスＳＡへの申込を受け付けた場合には、申込元の利用者の利用者ＩＤで特定される「サービス申込状況」（登録情報記憶部１２２）に「済」を登録する。また、申込受付部１３２は、サービス申込状況「未」の利用者に対して、定期便サービスＳＡへの申込を案内する案内情報が通知（表示）されるよう表示制御部１３６を制御することができる。
【０１２９】
（取得部１３３について）
取得部１３３は、利用者が幼児の保育に用いる不織布製品の購入状況を示す購入情報を取得する。例えば、取得部１３３は、係る不織布製品の購入状況に応じて付与されたポイントのうち、利用者が蓄積しているポイントである蓄積ポイントを示す購入情報を取得する。
【０１３０】
例えば、取得部１３３は、アプリＡＰを介してアクティベーションコードが情報処理装置１００に入力された場合に、入力されたアクティベーションコードを示すコード情報を取得する。アクティベーションコードは商品を一意に特定可能なユニークな情報であるため、取得部１３３は、取得したコード情報に基づいて、利用者が購入した商品や個数を特定し、特定した情報を購入履歴として購入情報記憶部１２３に格納する。すなわち、取得部１３３は、購入情報記憶部１２３を更新する。
【０１３１】
また、取得部１３３は、コード情報に基づき利用者が購入した商品や個数を特定すると、特定した情報を付与部１３８に出力する。付与部１３８は、取得部１３３から受け付けた情報で示される商品や個数に基づいて、利用者に付与するポイントを算出する。そして、付与部１３８は、算出したポイントを示す「ポイント情報」を購入情報記憶部１２３に格納することにより、対応する利用者へのポイントの付与を行う。
【０１３２】
このような状態において、取得部１３３は、購入情報記憶部１２３から「日時情報」、「商品情報」、「ポイント情報」の組合せを取得し、取得した組合せに基づいて、ポイント履歴記憶部１２４の「日時情報」、「内容」、「ポイント実績」、「蓄積ポイント」を更新する。
【０１３３】
また、取得部１３３は、判定部１３４により判定処理を行うタイミングになったと判断された場合には、ポイント履歴記憶部１２４にアクセスし「蓄積ポイント」を示すポイント情報を取得しこれを判定部１３４に出力する。また、これまで説明してきたように、ポイントは、利用者によるアクティベート状況、利用者により購入された商品の種別（例えば、ブランド、サイズ）、利用者により購入された商品の数等に応じて変動する。したがって、「蓄積ポイント」を示すポイント情報は、購入状況を示す購入情報に対応するものである。
【０１３４】
（判定部１３４について）
判定部１３４は、取得部１３３により取得された購入情報が示す購入状況が所定の条件を満たすか否かを定期的に判定する。例えば、判定部１３４は、不織布製品の購入状況に応じて付与されたポイントのうち、利用者が蓄積しているポイントである蓄積ポイントを示す購入情報が取得部１３３により取得されると、蓄積ポイントがポイントの閾値条件を満たすか否かを定期的に判定する。
【０１３５】
図１の例では、判定部１３４は、定期便サービスＳＡへ申し込んでいる利用者を対象に、月末期限で、月末ごとにポイント閾値条件「最低２００ｐｔ」を満たしているか否かを判定するも。したがって、係る例では、判定部１３４は、３月末になったことにより判定処理を行うタイミングになったと判断すると、３月末現時点での利用者Ｕ１の蓄積ポイントがポイント閾値条件「最低２００ｐｔ」を満たしているか否かを判定する。また、判定部１３４は、４月末になったことにより判定処理を行うタイミングになったと判断すると、４月末現時点での利用者Ｕ１の蓄積ポイントがポイント閾値条件「最低２００ｐｔ」を満たしているか否かを判定する。また、判定部１３４は、５月末になったことにより判定処理を行うタイミングになったと判断すると、５月末現時点での利用者Ｕ１の蓄積ポイントがポイント閾値条件「最低２００ｐｔ」を満たしているか否かを判定する。
【０１３６】
また、ここでは、判定部１３４が利用者Ｕ１を対象に判定処理を行っている例を示しているが、判定部１３４は、定期便サービスＳＡに申し込んでいる利用者ごとに、当該利用者の蓄積ポイントに基づき判定処理を行う。
【０１３７】
また、判定部１３４は、判定結果を決定部１３５に出力する。
【０１３８】
（決定部１３５について）
決定部１３５は、取得部１３３により取得された購入情報が所定の条件を満たすと判定される間、幼児が生誕してから経過した経過期間に応じたイベント向けの景品を、利用者に対して提供される景品として定期的に決定する。例えば、決定部１３５は、蓄積ポイントが閾値条件を満たすと判定される間、幼児が生誕してからこれまでに経過した経過期間に応じたイベント向けの景品を、利用者に対して提供される景品として定期的に決定する。また、例えば、決定部１３５は、蓄積ポイントのうち、閾値条件に対応するポイントと引き換えとなる景品を決定する。
【０１３９】
この点について、図１の例では、決定部１３５は、３月末現時点での利用者Ｕ１の蓄積ポイントがポイント閾値条件「最低２００ｐｔ」を満たしていると判定されると、３月末現時点での幼児Ｂ１１の月齢に基づいて、「Ｃ１コース」に対応する候補景品のうち、利用者Ｕ１に対する提供対象の景品を決定する。例えば、３月末現時点での幼児Ｂ１１の月齢が「月齢３ヶ月」であるとすると、決定部１３５は、「月齢３ヶ月」に基づいて、どの月齢の生誕イベント向けの景品を提供対象の景品とするかを決定する。例えば、決定部１３５は、一覧テーブルＴＢと「月齢３ヶ月」（３ヶ月目）とを照らし合わせて、最短となる２ヶ月先の「生誕５ヶ月お祝いギフト」を提供対象の景品として決定する。
【０１４０】
また、決定部１３５は、係る決定結果に基づいて、ポイント履歴記憶部１２４を更新する。例えば、決定部１３５は、決定結果に基づいて、利用者Ｕ１を識別する利用者ＩＤ「Ｕ１」に対応付けられる「日時情報」、「内容」、「ポイント実績」、「蓄積ポイント」を更新する。上記例によれば、決定部１３５は、３月末に判定処理が行われたことにより、日時情報「２０２０年３月３１日」、内容「定期便Ｃ１コース（月齢５ヶ月景品）」、ポイント実績「−２００ｐｔ」、蓄積ポイント「５０ｐｔ」（２５０ｐｔ−２００ｐｔ）をポイント履歴記憶部１２４に新たに登録する。
【０１４１】
また、決定部１３５は、決定した景品が利用者Ｕ１に届けられるよう配送制御することもできる。例えば、配送管理するサーバ装置が外部に存在する場合には、決定部１３５は、申込の際などに利用者Ｕ１により登録された配送先情報と、決定した景品を示す情報（景品情報記憶部１２１から取得）とを、この外部のサーバ装置に送信することにより配送制御する。
【０１４２】
また、図１の例では、決定部１３５は、５月末時点での利用者Ｕ１の蓄積ポイントがポイント閾値条件「最低２００ｐｔ」を満たしてないと判定されると、５月末現時点での幼児Ｂ１１の月齢（月齢５ヶ月）に基づいて、月齢７ヶ月景品を届けるという、今月の定期便を停止することを決定する。
【０１４３】
また、決定部１３５は、係る決定結果に基づいて、ポイント履歴記憶部１２４を更新する。例えば、決定部１３５は、決定結果に基づいて、利用者Ｕ１を識別する利用者ＩＤ「Ｕ１」に対応付けられる「日時情報」、「内容」、「ポイント実績」、「蓄積ポイント」を更新する。上記例によれば、決定部１３５は、５月末に判定処理が行われたことにより、日時情報「２０２０年５月３１日」、内容「定期便Ｃ１コース（月齢７ヶ月景品）停止」、ポイント実績「０ｐｔ」、蓄積ポイント「５０ｐｔ」をポイント履歴記憶部１２４に新たに追加登録する。
【０１４４】
なお、情報処理装置１００（後述する表示制御部１３６）は、月末期限が近づいてきたタイミング（例えば、月末期限よりも所定日数前の曜日）において、ポイントが不足している旨を利用者Ｕ１に通知するこことで、不足分のポイントを補うよう促してもよい。これにより、情報処理装置１００は、オムツＰＤ１の定期的な購入が途絶えないよう利用者Ｕ１に気付きを与えることができる。また、利用者Ｕ１は、不足分のポイントを現金で補うこともできる。また、情報処理装置１００は、必ずしもオムツＰＤ１が購入されないとポイントを付与しないのではなく、例えば、ブランドＢＲ１に属する他の商品（例えば、おしり拭き）が購入された際もポイントを付与することができる。
【０１４５】
また、決定部１３５は、利用者として１の利用者による保育対象となっている幼児が複数存在する場合には、保育対象となっている幼児ごとに、当該幼児が生誕してからこれまでに経過した経過期間に応じたイベント向けの景品を、当該１の利用者に対して提供される景品として決定してもよい。また、係る場合、決定部１３５は、保育対象となっている幼児の間で異なる景品を、当該１の利用者に対して提供される景品として決定することができる。
【０１４６】
また、決定部１３５は、閾値条件を満たすと判定される間、閾値条件を満たすと判定された各時点に対応する季節に基づいて、利用者に対して提供される景品の候補のうち、利用者に景品が届くと推定される季節に応じた景品を利用者に対して提供される景品として決定してもよい。
【０１４７】
また、決定部１３５は、幼児に関する情報に基づいて、利用者に対して提供される景品の候補のうち、幼児の性別に応じた景品を利用者に対して提供される景品として決定する。
【０１４８】
（表示制御部１３６について）
表示制御部１３６は、各種の表示制御を行う。例えば、表示制御部１３６は、アプリＡＰを介して、アプリＡＰ専用の各種画面を端末装置１０に対して表示制御する。また、表示制御部１３６は、申込受付部１３２から定期便サービスＳＡに申し込んでいない利用者に関する情報を受け付けると、定期便サービスＳＡへの申込を案内する案内情報を係る利用者の端末装置１０に対して表示制御する。
【０１４９】
ここで、図１０を用いて、表示制御部１３６により表示制御されるアプリＡＰ専用の各種画面の一例について説明する。図１０は、表示制御部１３６により表示制御される画面の一例を示す図である。以下、図１０の説明に当たって、利用者Ｕ１を一例に挙げることにする。
【０１５０】
例えば、利用者Ｕ１がアプリＡＰを起動すると、表示制御部１３６は、アプリＡＰ専用のホーム画面Ｇ１を端末装置１０に表示させる。例えば、表示制御部１３６は、ポイント履歴記憶部１２４を参照し利用者Ｕ１の蓄積ポイントを特定することで、利用者Ｕ１の現在の保有ポイント（すなわち、蓄積ポイント）が中央上部に表示されるようなホーム画面Ｇ１を生成する。そして、表示制御部１３６は、図１０に示すようなホーム画面Ｇ１を利用者Ｕ１の端末装置１０に表示させる。
【０１５１】
また、ホーム画面Ｇ１には、ポイント履歴を表示させるためのボタンＢ１１と、蓄積ポイントと景品との交換（例えば、定期便サービスＳＡへの申込による定期的な交換、あるいは、希望する特定の商品との交換）を行うための景品交換画面Ｇ２へと遷移させるためのボタンＢ１２とが表示される。
【０１５２】
このような状態において、表示制御部１３６は、ボタンＢ１１が押下されたことを検知すると、ポイント履歴記憶部１２４を参照し利用者Ｕ１のポイント履歴（例えば、所定期間分のポイント履歴）を抽出し、抽出したポイント履歴が表示されるようなポイント履歴画面（不図示）を表示させる。また、ポイント履歴画面は、定期便サービスＳＡでこれまでどのような景品が提供されそれに応じてポイントがどのように変動しているかを示す景品履歴を確認可能な景品履歴画面へと遷移させるボタンが含まれる。係るボタンが押下された場合には、表示制御部１３６は、景品履歴記憶部１２５を参照し利用者Ｕ１の景品履歴を抽出し、抽出した景品履歴が表示されるような景品履歴画面（不図示）を表示させる。
【０１５３】
また、１の利用者による保育対象となっている幼児が複数存在する場合（例えば、兄弟関係にある２人の幼児が１の利用者によって加入登録されている場合）、景品履歴画面では、幼児ごとに当該幼児に対応する景品履歴が表示される。
【０１５４】
また、ホーム画面Ｇ１に含まれる領域ＡＲ１には、ポイントと交換できる景品が左右にスクロール可能に表示される景品一覧コンテンツが表示される。
【０１５５】
ここで、表示制御部１３６は、ボタンＢ１２が押下されたことを検知すると、蓄積ポイントと景品との交換を行うための景品交換画面Ｇ２へと遷移させる。この際、表示制御部１３６は、利用者Ｕ１が定期便サービスＳＡに申し込んでいないと判定されると、定期便サービスＳＡへの申込を案内する案内情報Ｃ２１を景品交換画面Ｇ２内に表示させる。図１０の例では、案内情報Ｃ２１は、バナー形式の案内コンテンツとして表示され、「定期便のご案内」というタイトルとともにその詳細を示すテキストが含まれている。また、案内情報Ｃ２１には、定期便サービスＳＡの詳細説明ページへと遷移させるリンクが張られる。
【０１５６】
また、図１０に示すように、景品交換画面Ｇ２には、領域ＡＲ２１と領域ＡＲ２２とが含まれる。そして、領域ＡＲ２１には、定期便サービスＳＡへの申込を行うための第１の申込コンテンツが表示される。具体的には、第１の申込コンテンツは、定期便サービスＳＡのＣ１コースへの申込を行うためのボタンＢ２１と、定期便サービスＳＡのＣ２コースへの申込を行うためのボタンＢ２２とによって構成される。例えば、ボタンＢ２１が押下された場合には、Ｃ１コースに対応する詳細内容ページへと遷移される。例えば、利用者Ｕ１は、詳細内容ページに示される条件や景品に納得できた場合には、さらにその先のページで申込に関する各種情報入力を行うことができる。
【０１５７】
領域ＡＲ２２には、ポイントともれなく交換可能な景品に対応する交換サービスや、抽選に当選した利用者がポイントと交換可能となる景品に対応する交換サービスへの申込を行うための第２の申込コンテンツが表示される。図１０の例では、第２の申込コンテンツは、蓄積ポイントのうち「３００ｐｔ」と景品「散髪マント」との交換を申込むためのボタンＢ２３や、蓄積ポイントのうち「５００ｐｔ」と景品「動物園チケット大人１枚」との交換を申込むためのボタンＢ２４等によって構成される。
【０１５８】
（広告制御部１３７について）
広告制御部１３７は、広告配信に関する各種制御を行う。例えば、広告制御部１３７は、取得部１３３により取得された購入情報に基づいて、利用者に配信される配信対象の広告コンテンツを制御する。情報処理装置１００は、利用者からの登録や申込の際に、利用者に関する各種情報を受け付けるため、利用者に関する様々な情報を収集することができる。
【０１５９】
したがって、取得部１３３は、利用者に関する利用者情報（例えば、登録情報記憶部１２２に格納される「利用者情報」）と、利用者による保育対象となっている幼児に関する幼児情報（例えば、登録情報記憶部１２２に格納される「被保育者情報」）とをさらに取得する。よって、広告制御部１３７は、取得された購入情報、利用者情報、および、幼児情報に基づいて、利用者に配信される配信対象の広告コンテンツを制御する。
【０１６０】
例えば、広告制御部１３７は、取得部１３３により取得された情報に基づいて、利用者に配信される配信対象の広告コンテンツを決定する。そして、広告制御部３７は、決定した配信対象の広告コンテンツを利用者に配信する。
【０１６１】
このような情報処理装置１００によれば、利用者およびこの利用者の幼児の双方に合った広告コンテンツを提供することができるため、より利用者に最適な広告配信を実現することができるようになる。一例を示すと、このような情報処理装置１００によれば、「東京都〇〇在住の月齢５ヶ月〜１０ヶ月の幼児」（条件１）がいる両親であって、「××商品を購入したことがあり」（条件２）かつ「△△のような悩みを有する」（条件３）両親といった、ピンポイントな利用者を対象に条件１〜条件３に合った最適な広告コンテンツ提供することができるようになる。
【０１６２】
（付与部１３８について）
付与部１３８は、決定部１３５により決定された景品を用いた利用者によるアクションに応じて、この利用者にポイントを付与する。例えば、付与部１３８は、決定部１３５により決定された景品を用いた利用者によってポイント付与対象のアクションが行われた場合には、そのアクションの種別や内容に応じた数のポイントを付与する。また、例えば、付与部１３８、定期便サービスＳＡでのみ利用可能なポイントを付与する。
【０１６３】
また、付与部１３８は、景品と幼児とがともに撮影された撮影画像が所定の情報共有サービス（例えば、ＳＮＳ）で共有されるよう当該撮影画像を利用者が投稿した場合には、利用者にポイントを付与する。例えば、付与部１３８は、以下の投稿制御部１３９による制御に応じてポイントを付与する。
【０１６４】
（投稿制御部１３９について）
投稿制御部１３９は、景品と幼児とがともに撮影された撮影画像が共有されるよう投稿の手続を利用者が行った場合（例えば、投稿先のサービスに対応するボタンを押下した場合）には、係る撮影画像のアップロードを受け付ける。そして、投稿制御部１３９は、アップロードされた撮影画像を、投稿先のサービスに対応する外部のサーバ装置に送信（投稿）する。
【０１６５】
ここで、これまで説明してきた実施形態に係る景品は、定期便サービスＳＡに申込済みの利用者であって、例えば、１歳未満の幼児がいて、かつ、条件を満たせるよう定期的に不織布製品を購入している特別な利用者のみが得ることのできる物品である。しかしながら、例えば、係る景品が転売されるなどした場合、定期便サービスＳＡに申し込むこともなく、また、幼児も居なければ定期的に不織布製品を購入してポイントを貯めることもしていないような無関係な人物が係る景品を入手できてしまう可能性がある。また、そうすると、このような無関係の人物が、例えば、アプリＡＰを導入してさえいれば、転売により入手した実施形態に係る景品を利用して画像投稿することでポイントを得ることができてしまう可能性がある。
【０１６６】
よって、投稿制御部１３９は、この無関係な人物が不正にポイントを得てしまうことがないよう、アップロードされた撮影画像に撮影された景品が、当該撮影画像の投稿手続を行った利用者に提供された実績のある景品であるか否かを判定する。例えば、端末装置１０に対応する端末ＩＤ（Identifier）と、利用者ＩＤとが紐付けられているとすると、投稿制御部１３９は、アップロードが行われた端末装置１０に対応する端末ＩＤが景品履歴記憶部１２５に登録されている利用者ＩＤに紐付けられている正当な端末ＩＤであるか否かを判定する。そして、投稿制御部１３９は、アップロードが行われた端末装置１０に対応する端末ＩＤが、景品履歴記憶部１２５に登録されている利用者ＩＤに紐付けられていない場合には、アップロード元の利用者は無関係な人物であるとの判断から、付与部１３８に対してポイントを付与しないよう制御する。
【０１６７】
また、投稿制御部１３９は、アップロードが行われた端末装置１０に対応する端末ＩＤが、景品履歴記憶部１２５に登録されている利用者ＩＤに紐付けられている場合には、景品履歴で示される景品と、景品履歴において係る利用者ＩＤに対応付けられる幼児ＩＤが示す幼児の正解画像（例えば、幼児の顔画像）との組合せがアップロードされた撮影画像に撮影されているか否かを判定する。そして、投稿制御部１３９は、上記組合せが撮影画像に撮影されていないと判定した場合には、付与部１３８に対してポイントを付与しないよう制御する。一方、投稿制御部１３９は、上記組合せが撮影画像に撮影されていないと判定した場合には、当該撮影画像に撮影された景品が、当該撮影画像の投稿手続を行った利用者に提供された実績のある景品であると判定し、付与部１３８に対してポイントを付与するよう制御する。
【０１６８】
このような情報処理装置１００によれば、景品の提供を受けたことがないような無関係な人物が不正にポイントを得られないよう制御することができるため、公平なポイント付与を実現することができるようになる。
【０１６９】
また、例えば、定期便サービスＳＡに申込済みの利用者であって、１歳未満の幼児がいて、かつ、条件を満たせるよう定期的に不織布製品を購入している特別な利用者ではあるものの、係る利用者が、定期便サービスＳＡに加入させている以外の幼児（例えば、自分以外の他の利用者の子供）までも利用して多くの撮影画像を投稿することで多くのポイントを得られてしまう状況は好ましくない。
【０１７０】
よって、投稿制御部１３９は、このような状況を防止することができるよう、アップロードされた撮影画像に撮影された幼児が、当該撮影画像の投稿手続を行った利用者による保育対象となっている幼児本人であるとの本人性の認証を行う。そして、投稿制御部１３９は、本人性の認証が得られた場合には、この撮影画像の投稿手続を行った利用者にポイントを付与する。例えば、投稿制御部１３９は、撮影画像に撮影された幼児と、撮影画像の投稿手続を行った利用者によって予め登録された正解画像（例えば、幼児の顔画像）に移される幼児との間での画像認証により、本人性の認証を行うことができる。
【０１７１】
そして、このような情報処理装置１００によれば、例えば、特定の利用者が自身の子供だけでなく、他者の子供までも利用して多くの撮影画像を投稿することで不正に多くのポイントを得られないよう制御することができるため、公平なポイント付与を実現することができるようになる。
【０１７２】
また、付与部１３８は、所定の情報共有サービス（例えば、ＳＮＳ）内において撮影画像に与えられた評価を示す評価情報に基づいて、利用者にポイントを付与してもよい。付与部１３８は、所定の情報共有サービス内において撮影画像に与えられた「いいね」数に応じた数のポイントを付与する。このような情報処理装置１００によれば、インフルエンサーとなってくれた利用者に報酬としてのポイントを付与することができる。また、このような情報処理装置１００によれば、例えば、投稿画像を閲覧した利用者に対して、この景品をもらうどうしたらよかという興味から、特定の不織布製品の購入へと誘導することができるようになるため、利用者を定期便サービスＳＡへと効果的に囲い込むことができるようになる。
【０１７３】
〔６．処理手順〕
次に、図１１を用いて、実施形態に係る情報処理の手順について説明する。図１１は、実施形態に係る情報処理手順を示すフローチャートである。また、図１１では、処理対象の利用者として利用者Ｕ１を例に挙げる。
【０１７４】
まず、判定部１３４は、ポイントの閾値条件を用いた判定処理を行うタイミングになったか否かを判定する（ステップＳ１０１）。判定部１３４は、判定処理を行うタイミングになっていないと判定している間は（ステップＳ１０１；Ｎｏ）、判定処理を行うタイミングになったと判定できるまで待機する。
【０１７５】
一方、取得部１３３は、判定部１３４により判定処理を行うタイミングになったと判断された場合には（ステップＳ１０１；Ｙｅｓ）、ポイント履歴記憶部１２４にアクセスし、利用者ＩＤ「Ｕ１」に対応付けられる「蓄積ポイント」を示すポイント情報（購入情報）を取得しこれを判定部１３４に出力する（ステップＳ１０２）。
【０１７６】
判定部１３４は、取得部１３３からポイント情報を受け付けると、ポイント情報で示される蓄積ポイントがポイントの閾値条件（例えば、最低２００ｐｔを貯めていること）を満たすか否かを判定する（ステップＳ１０３）。
【０１７７】
決定部１３５は、蓄積ポイントがポイント閾値条件を満たしていると判定された場合には（ステップＳ１０３；Ｙｅｓ）、現時点での処理対象の幼児（利用者Ｕ１が定期便サービスに加入させている幼児）の月齢を特定する（ステップＳ１０４）。例えば、決定部１３５は、利用者ＩＤ「Ｕ１」と登録情報記憶部１２２とを照らし合わせて、処理対象の幼児の月齢を特定する。
【０１７８】
そして、決定部１３５は、特定した月齢に基づいて、候補景品のうち、利用者Ｕ１に対する提供対象の景品を決定する（ステップＳ１０５）。決定部１３５は、利用者Ｕ１により選択されているコースに属する候補景品のうち、利用者Ｕ１に対する提供対象の景品を決定する。例えば、決定部１３５は、特定した月齢に基づいて、どの月齢の生誕イベント向けの景品を提供対象の景品とするかを決定する。例えば、決定部１３５は、一覧テーブルＴＢと特定した月齢とを照らし合わせて、最短となる２ヶ月先の「生誕お祝いギフト」を提供対象の景品として決定する。
【０１７９】
また、決定部１３５は、今回の決定結果に基づいて、ポイント履歴記憶部１２４を更新する。例えば、決定部１３５は、利用者ＩＤ「Ｕ１」に対応付けられる「日時情報」、「内容」、「ポイント実績」、「蓄積ポイント」を更新する。また、決定部１３５は、同様にして、景品履歴記憶部１２５も更新する。
【０１８０】
また、決定部１３５は、決定した景品が利用者Ｕ１に届けられるよう配送制御する（ステップＳ１０６）。
【０１８１】
一方、決定部１３５は、蓄積ポイントがポイント閾値条件を満たしてないと判定された場合には（ステップＳ１０３；Ｎｏ）、現時点での処理対象の幼児の月齢に基づいて、当該月齢に応じた数ヶ月先の月齢景品を届けるという、今月の定期便を停止することを決定し処理を終了する。なお、このとき決定部１３５は、定期便を停止するという今回の決定結果に基づいて、ポイント履歴記憶部１２４を更新する。例えば、決定部１３５は、利用者Ｕ１を識別する利用者ＩＤ「Ｕ１」に対応付けられる「日時情報」、「内容」、「ポイント実績」、「蓄積ポイント」を更新する。また、決定部１３５は、同様にして、景品履歴記憶部１２５も更新する。
【０１８２】
〔７．変形例〕
上記実施形態に係る情報処理装置は、上記実施形態以外にも種々の異なる形態にて実施されてよい。
【０１８３】
〔７−１．端末装置について〕
上記実施形態では、実施形態に係る情報処理は、サーバ装置である情報処理装置１００によって行われるものとして説明した。しかし、実施形態に係る情報処理は、利用者によって利用される端末装置１０によって行われてもよい。係る場合、端末装置１０には、実施形態に係る情報処理プログラムが導入される。また、端末装置１０は、スタンドアロンの状態で実施形態に係る情報処理を実現可能に構成されてもよいし、外部のサーバ装置と連携して実施形態に係る情報処理を実現可能に構成されてもよい。
【０１８４】
〔７−２．景品の公開について〕
図１０に示すホーム画面Ｇ１や、景品交換画面Ｇ２では、定期文サービスＳＡで提供される可能性のある景品の一部が公開されている例が示されている。しかしながら、月齢ごとにどのような景品が提供されるかその具体的な内容までは、公開されないよう制御される。これにより、どのような景品が届くかその期待感を利用者に持たせることができる。
【０１８５】
〔８．その他〕
上記した各処理のうち、自動的に行われるものとして説明した処理の全部または一部は、手動的に行われてもよい。また、手動的に行われるものとして説明した処理の全部または一部は、公知の方法で自動的に行われてもよい。この他、上記文書中や図面中で示した処理手順、具体的名称、各種のデータやパラメータを含む情報については、特記する場合を除いて任意に変更することができる。例えば、各図に示した各種情報は、図示した情報に限られるものではない。
【０１８６】
また、図示した各装置の各構成要素は機能概念的なものであり、必ずしも物理的に図示の如く構成されなくともよい。すなわち、各装置の分散・統合の具体的形態は図示のものに限られない。また、各構成要素は、その全部または一部を、各種の負荷や使用状況などに応じて、任意の単位で機能的または物理的に分散・統合して構成してもよい。また、上記してきた各処理は、矛盾しない範囲で適宜組み合わせて実行されてもよい。
【０１８７】
〔９．ハードウェア構成〕
また、上述した実施形態に係る情報処理装置は、例えば図１２に示すような構成のコンピュータ１０００によって実現される。以下、情報処理装置１００を例に挙げて説明する。図１２は、ハードウェア構成の一例を示す図である。コンピュータ１０００は、出力装置１０１０、入力装置１０２０と接続され、演算装置１０３０、キャッシュ１０４０、メモリ１０５０、出力ＩＦ（Interface）１０６０、入力ＩＦ１０７０、ネットワークＩＦ１０８０がバス１０９０により接続される。
【０１８８】
演算装置１０３０は、キャッシュ１０４０やメモリ１０５０に格納されたプログラムや入力装置１０２０から読み出したプログラム等に基づいて動作し、各種の処理を実行する。キャッシュ１０４０は、ＲＡＭ等、演算装置１０３０が各種の演算に用いるデータを一次的に記憶するキャッシュである。また、メモリ１０５０は、演算装置１０３０が各種の演算に用いるデータや、各種のデータベースが登録される記憶装置であり、ＲＯＭ(Read  Only  Memory)、ＨＤＤ（Hard  Disk  Drive）、フラッシュメモリ等により実現されるメモリである。
【０１８９】
出力ＩＦ１０６０は、モニタやプリンタといった各種の情報を出力する出力装置１０１０に対し、出力対象となる情報を送信するためのインタフェースであり、例えば、ＵＳＢ（Universal  Serial  Bus）やＤＶＩ（Digital  Visual  Interface）、ＨＤＭＩ（登録商標）（High  Definition  Multimedia  Interface）といった規格のコネクタにより実現されてよい。一方、入力ＩＦ１０７０は、マウス、キーボード、およびスキャナ等といった各種の入力装置１０２０から情報を受信するためのインタフェースであり、例えば、ＵＳＢ等により実現される。
【０１９０】
例えば、入力装置１０２０は、ＣＤ（Compact  Disc）、ＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等から情報を読み出す装置により実現されてもよい。また、入力装置１０２０は、ＵＳＢメモリ等の外付け記憶媒体により実現されてもよい。
【０１９１】
ネットワークＩＦ１０８０は、ネットワークＮを介して他の機器からデータを受信して演算装置１０３０へ送り、また、ネットワークＮを介して演算装置１０３０が生成したデータを他の機器へ送信する機能を有する。
【０１９２】
ここで、演算装置１０３０は、出力ＩＦ１０６０や入力ＩＦ１０７０を介して、出力装置１０１０や入力装置１０２０の制御を行うこととなる。例えば、演算装置１０３０は、入力装置１０２０やメモリ１０５０からプログラムをキャッシュ１０４０上にロードし、ロードしたプログラムを実行する。例えば、コンピュータ１０００が情報処理装置１００として機能する場合、コンピュータ１０００の演算装置１０３０は、キャッシュ１０４０上にロードされたプログラムを実行することにより、制御部１３０の機能を実現することとなる。
【０１９３】
以上、本願の実施形態をいくつかの図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１９４】
１  情報処理システム
１０  端末装置
１００  情報処理装置
１２０  記憶部
１２１  景品情報記憶部
１２２  登録情報記憶部
１２３  購入情報記憶部
１２４  ポイント履歴記憶部
１２５  景品履歴記憶部
１３０  制御部
１３１  登録受付部
１３２  申込受付部
１３３  取得部
１３４  判定部
１３５  決定部
１３６  表示制御部
１３７  広告制御部
１３８  付与部
１３９  投稿制御部
【図１】
2022002000.tif 000003
【図２】
2022002000.tif 000004
【図３】
2022002000.tif 000005
【図４】
2022002000.tif 000006
【図５】
2022002000.tif 000007
【図６】
2022002000.tif 000008
【図７】
2022002000.tif 000009
【図８】
2022002000.tif 000010
【図９】
2022002000.tif 000011
【図１０】
2022002000.tif 000012
【図１１】
2022002000.tif 000013
【図１２】
2022002000.tif 000014